(57)【要約】【課題】本発明は、プレゼンテーションに利用されるレーザーポインタを、ポインティングデバイスとしての利用のみならず、他の用途、例えば、ポインティングした場所付近の画像を撮像素子により読み取る読取装置としても利用可能とするような、多機能化を目的としている。【解決手段】本発明によれば、レーザーポインタに、撮像素子と制御回路とを追加し、前記撮像素子で撮像された画像から文字情報を抽出し、例えば英語から日本語に翻訳することを可能とするものである。 【選択図】    図１
2013164485.tif 000002
【特許請求の範囲】
【請求項１】
レーザーダイオードと、撮像素子と、制御回路とを有し、この制御回路は、前記レーザーダイオードの照射点付近を前記撮像素子で撮像する手段を有することを特徴とするレーザーポインタ。
【請求項２】
レーザーダイオードと、撮像素子と、制御回路とを有し、この制御回路は、前記撮像素子で撮像された画像から文字情報を抽出する手段を有することを特徴とするレーザーポインタ。
【請求項３】
文字抽出手段で抽出した文字を翻訳する手段を有することを特徴とする請求項２項記載のレーザーポインタ。
【請求項４】
前記翻訳結果を表示する表示装置を有することを特徴とする請求項３項記載のレーザーポインタ。
【請求項５】
前記翻訳結果を無線出力する無線装置を有することを特徴とする請求項３項記載のレーザーポインタ。
【請求項６】
前記翻訳結果を無線出力する無線装置を有する着脱式のメモリを有することを特徴とする請求項３項記載のレーザーポインタ。
【発明の詳細な説明】
【技術分野】
【０００１】
本発明は、多機能レーザーポインタに関するものであって、特に撮像素子を内蔵したレーザーポインタに関するものである。
【背景技術】
【０００２】
従来からプレゼンテーション用にレーザーポインタが用いられている。このレーザーポインタは、プロジェクタを用いて、スクリーンにプレゼンテーション資料を投影しながら、プレゼンテーションする者が、所定の文字或いは画像に注目させるためにその指標したい部位に、高輝度の赤色或いは緑色のレーザー光を照射するものである。
従来、このレーザー光の照射に加えて、パーソナルコンピュータ上のプレゼンテーション資料のページの切替を行う機構を有するものが知られている。また、手振れ防止機能を有するものや、直線や円などを描画する機能を有するものが知られている。
【０００３】
尚、レーザーポインタは、その使用目的のために、小型かつ軽量であり、利用者はプレゼンテーション時以外にも携帯していることも多い。
しかしながら、通常の生活においてレーザーポインタが用される機会は殆ど無い。
【０００４】
【特許文献１】特開２０１０−１０３６９４号
【発明の開示】
【発明が解決しようとする課題】
【０００５】
一方、特許文献１に示されたような、翻訳機能付カメラが知られている。
また、携帯電話に付属のカメラを用いて文章を撮像し、これを翻訳するアプリケーションも知られている。しかしながら、これらのカメラで撮像する場合は、撮像領域から文字の抽出が困難である。
【０００６】
本発明はこのような、レーザー光の照射以外の機能、例えば翻訳機能などをレーザーポインタに付加することにより、レーザーポインターの機能を向上されることを目的としている。
特に、レーザーポインタに撮像素子を内蔵し、１文字ずつ撮像し、その後撮像した文字の認識、及び翻訳を行うものであり、大きな領域を撮像してその中から文字を抽出する場合に比べて、文字の抽出が容易となる。
【課題を解決するための手段】
【０００７】
上記課題を解決するため、本発明は、請求項１に記載するように、レーザーダイオードと、撮像素子と、制御回路とを有し、この制御回路は、前記レーザーダイオードの照射点付近を前記撮像素子で撮像する手段を有することを特徴としている。また、請求項２に記載するように、レーザーダイオードと、撮像素子と、制御回路とを有し、この制御回路は、前記撮像素子で撮像された画像から文字情報を抽出する手段を有することを特徴としている。
【０００８】
更に、レーザーポインタでポインティングした文字を翻訳可能とすること、この翻訳結果を表示する表示装置を有すること、またこの翻訳結果を無線送信する無線装置を有することを特徴とするものである。
【発明の効果】
【０００９】
本発明によれば、レーザーポインタの利用範囲が拡大し、プレゼンテーションにおけるポインティング作業に限らず、他の用途にも利用することが可能となる。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例を示す正面図である。
１はレーザーポインターの本体ケースであり、ペン型の外形を有している。この本体ケース１の先端付近には、赤色、或いは緑色レーザーダイオード２、白色発光ダイオード３、及び撮像素子４が配置されている。
５は制御回路であり、レーザーポインタモードでは、レーザーダイオード２の点灯制御を行い、翻訳モードでは、発光ダイオードを点灯すると共に撮像素子４を駆動し、撮像データを順次取り込み、撮像された画像から文字を抽出し文字認識をすると共に、この認識された文字の文字列の翻訳を行う。
６は着脱可能なメモリであり、撮像素子４で撮像された画像及び翻訳された文字情報が記録される。
７は表示装置であり、翻訳された文字が表示される。
８は無線装置であり、メモリ６に記録された撮像素子４で撮像された画像及び翻訳された文字情報が、外部機器であるパーソナルコンピュータ、或いはスマートフォンなどに送信される。
尚、撮像素子で撮像された画像から移動量を計算し、その移動量を、前記外部機器であるパーソナルコンピュータに送信して、パーソナルコンピュータ操作用のマウスとして利用することが可能となっている。
９は、バッテリであり、レーザーダイオード１から無線装置８までの各構成部品に電力を供給する。
【００１２】
図２に本実施例のレーザーポインタの外形を示す。
レーザースイッチ１０を指で押すと、レーザーポインタモードとなり、押している間レーザー光線の照射が行われる。
尚、本実施例では、翻訳スイッチ１１によって翻訳モードとなり、英単語の日本語への翻訳が行われる。
翻訳スイッチ１１を指で押すと、翻訳モードとなり、押している間発光ダイオード３が点灯し、所定時間毎に連続して撮像素子による撮像が行われ、制御回路５内の内部メモリに記録される。
翻訳スイッチ１１を指で押した後、指を離すと、指で押した状態から指を離した状態までの連続画像から１つの合成された画像が作成される。
この合成画像から文字が１文字づつ抽出されて、その文字の認識が開始される。
順次、１文字づつその文字画像の特徴点が抽出され、最も確からしい文字が、制御回路５内に設けられた文字データベースから選択される。
前述の合成画像から抽出された全ての文字の認識が完了すると、その文字認識結果が、メモリ６に記録されとと共に、表示装置７に表示される。
【００１３】
文字の認識が終了すると、その文字列の翻訳が開始される。
文字認識の結果であるローマ字の文字列の解析が行われ、これに対応する日本語が、制御回路５内に設けられた日本語データベースから選択される。
この翻訳結果は、メモリ６に記録されとと共に、表示装置７に表示される。
【００１４】
メモリ６は、メモリ用開口１２に着脱可能に接続される。
メモリ６は、デジタルカメラなどに用いられているメモリーカードによって構成されており、外部機器であるパーソナルコンピュータに接続して、記録された画像データ、認識文字、及び翻訳結果をパーソナルコンピュータで読み出すことが可能となっている。
【００１５】
続いて、図３を用いて、プレゼンテーション時に、翻訳結果を外部のプロジェクタ装置で投影する場合を説明する。
この実施例では、電子黒板２１の筆記シート２２に、マーカーによって筆記した文字をレーザーポインタで抽出して文字認識し、文字認識された文字列を翻訳した後に、プロジェクタ２５でその翻訳結果を、電子黒板２１の筆記シート上に投影するものである。
【００１６】
この実施例では、翻訳スイッチ１１が押されている間、発光素子の点灯ではなく、レーザー照射が行われる。
また、撮像素子は遠隔に焦点が設定されており、レーザーポインタの照射ポイント付近が順次連続して撮像される。
【００１７】
翻訳スイッチ１１を指で押した後、指を離すと、指で押した状態から指を離した状態までのレーザー照射点付近の連続画像から１つの合成された画像が作成される。
この合成画像から文字が１文字づつ抽出されて、その文字の認識が開始される。
順次、１文字づつその文字画像の特徴点が抽出され、最も確からしい文字が、制御回路５内に設けられた文字データベースから選択される。
前述の連続画像から抽出された全ての文字の認識が完了すると、その文字認識結果が、メモリ６に記録されとと共に、表示装置７に表示される。
【００１８】
文字の認識が終了すると、その文字列の翻訳が開始される。
文字認識の結果であるローマ字の文字列の解析が行われ、これに対応する日本語が、制御回路５内に設けられた日本語データベースから選択される。
この翻訳結果は、メモリ６に記録され、表示装置７に表示されると共に、無線装置８によって、パーソナルコンピュータ２６に送信される。
【００１９】
パーソナルコンピュータ２６で受信された翻訳結果は、プロジェクタ装置２５によって電子黒板２１の筆記面２２に投影される。
ここで、電子黒板２１には操作パネル２３が設けられており、筆記シートの移送や、筆記面の読取、及び読取画像のコピーなどをこの操作パネルによって行うが、この電子黒板２１には、更にレーザーポインター受光部２４が設けられており、ここに、レーザー光を照射することによって、前述の筆記シートの移送や読取画像のコピーを行うことが可能となっている。
【００２０】
上述の第２の実施例では、電子黒板２１の筆記シート２２に、マーカーによって筆記した文字を抽出して、文字認識し翻訳しているが、図４に示すように、プロジェクタによって投影した画像内の文字を指定して、これをレーザーポインタによって読取り、これを翻訳してもよい。
この場合は、レーザーポインタをパーソナルコンピュータ２６のマウスとして動作させ、パーソナルコンピュータ２６の表示画面上の文字をレーザーポインタで指定して、翻訳するかのように動作することとなる。
この翻訳結果は、プロジェクタ２５によって、合成されて投影される。
【００２１】
本発明は、上述の実施例に限定されるものではなく、例えば、無線装置はなくてもよい。或いは、無線機能を内蔵したメモリカードを用いて、無線通信を行ってもよい。
また、メモリは、着脱可能ではなく、レーザーポインタ内部に組み込んでもよい。
【産業上の利用可能性】
【００２２】
本発明は、レーザーポインタの機能を拡張するものであって、特にプレゼンテーション以外にも利用可能とし、レーザーポインタの利便性を向上させるものである。
【図面の簡単な説明】
【００２３】
【図１】図１は、本発明の実施例の形態に係るレーザーポインタの構成を示す図である。
【図２】図２は、本発明の実施例の形態に係るレーザーポインタの外形を示す図である。
【図３】図３は、本発明の第２の実施例にかかるシステムを示す図である。
【図４】図４は、本発明の第３の実施例にかかるシステムを示す図である。
【符号の説明】
【００２４】
２：レーザーダイオード
４：撮像素子
５：制御回路
８：無線装置
【図１】
2013164485.tif 000003
【図２】
2013164485.tif 000004
【図３】
2013164485.tif 000005
【図４】
2013164485.tif 000006